【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
１つ又は複数のストレージデバイス；及び
前記１つ又は複数のストレージデバイスに接続されたストレージコントローラを備える、コンピュータシステムであって、
前記ストレージコントローラは：
第１の媒体にマッピングされた第１のボリュームを削除するための要求を受信し、前記第１の媒体はデータの論理グループ化であり；
前記第１のボリュームを削除するための前記要求の受信に応答して：
第１の媒体が前記第１のボリュームのアンカー媒体であることの決定し、
前記第１のボリュームが過去に前記第１の媒体にリンクされていたことのインジケータを記憶し；
前記第１のボリュームが有効であることのいずれのインジケータを除去する
よう構成される、コンピュータシステム。
【請求項２】
前記ストレージコントローラは更に、ボリューム−媒体間マッピングテーブルを保守することによって、前記ボリュームとアンカー媒体との間の関係を媒体間で追跡するよう構成され、
前記第１のボリュームが有効であることのいずれの前記インジケータを除去することは、前記第１のボリュームに対応する第１のエントリを、前記ボリューム−媒体間マッピングテーブルから削除することを含む、請求項１に記載のコンピュータシステム。
【請求項３】
前記第１のボリュームを削除するための前記要求を受信した後、前記ストレージコントローラは更に：
前記第１のボリュームを復元するための要求を受信し；
前記第１のボリュームを復元するための前記要求に応答して：
前記第１のボリュームが過去に前記第１の媒体にリンクされていたことの前記インジケータを取得し；
前記ボリューム−媒体間マッピングテーブル内に新規のエントリを生成し、前記新規のエントリは前記第１のボリュームを前記第１の媒体にリンクさせる
よう構成される、請求項２に記載のコンピュータシステム。
【請求項４】
前記第１のボリュームを削除するための前記要求を受信した後、前記ストレージコントローラは更に：
前記第１のボリュームを復元するための要求を受信し；
前記第１のボリュームを復元するための前記要求に応答して：
前記第１のボリュームが過去に前記第１の媒体にリンクされていたことの前記インジケータを取得し；
第２の媒体を生成し；
前記第１の媒体が前記第２の媒体の下層にあることのインジケータを記憶し；
前記ボリューム−媒体間マッピングテーブル内に新規のエントリを生成し、前記新規のエントリは前記第１のボリュームを前記第２の媒体にリンクさせる
よう構成される、請求項２に記載のコンピュータシステム。
【請求項５】
前記第１のボリュームを削除するための前記要求の受信に応答して、前記ストレージコントローラは更に、第１の期間だけ前記第１の媒体の削除を遅延させるよう構成される、
請求項１に記載のコンピュータシステム。
【請求項６】
前記第１の期間が経過した後、前記ストレージコントローラは、前記第１の媒体を、再利用の準備ができた状態としてマークするよう構成される、請求項５に記載のコンピュータシステム。
【請求項７】
前記第１の期間が経過した後、前記ストレージコントローラは更に、前記第２の媒体が前記第１の媒体の下層にある場合、かつ他のいずれの媒体も前記第２の媒体にリンクされていない場合に、前記第２の媒体を、再利用の準備ができた状態としてマークするよう構成される、請求項６に記載のコンピュータシステム。
【請求項８】
ストレージシステムにおいて使用するための方法であって、前記方法は：
第１の媒体にマッピングされた第１のボリュームを削除するための要求を受信するステップを含み、前記第１の媒体はデータの論理グループ化であり；
前記第１のボリュームを削除するための前記要求の受信に応答して：
前記第１の媒体が前記第１のボリュームのアンカー媒体であることを決定するステップ；
前記第１のボリュームが過去に前記第１の媒体にリンクされていたことのインジケータを記憶するステップ；及び
前記第１のボリュームが有効であることのいずれのインジケータを除去するステップ；
含む、ストレージシステムにおいて使用するための方法。
【請求項９】
ボリューム−媒体間マッピングテーブルを保守することによって、前記ボリュームと前記アンカー媒体との間の関係を媒体間で追跡するステップを更に含み、
前記第１のボリュームが有効であることのいずれの前記インジケータを除去することは、前記第１のボリュームに対応する第１のエントリを、前記ボリューム−媒体間マッピングテーブルから削除することを含む、請求項８に記載の方法。
【請求項１０】
前記第１のボリュームを削除するための前記要求を受信した後、前記方法は：
前記第１のボリュームを復元するための要求を受信するステップ；
前記第１のボリュームを復元するための前記要求に応答して：
前記第１のボリュームが過去に前記第１の媒体にリンクされていたことの前記インジケータを取得するステップ；及び
前記ボリューム−媒体間マッピングテーブル内に新規のエントリを生成し、前記新規のエントリは前記第１のボリュームを前記第１の媒体にリンクさせる、ステップ
を更に含む、請求項９に記載の方法。
【請求項１１】
前記第１のボリュームを復元するための要求を受信するステップ；
前記第１のボリュームを復元するための前記要求に応答して：
前記第１のボリュームが過去に前記第１の媒体にリンクされていたことの前記インジケータを取得するステップ；
第２の媒体を生成するステップ；
前記第１の媒体が前記第２の媒体の下層にあることのインジケータを記憶するステップ；及び
前記ボリューム−媒体間マッピングテーブル内に新規のエントリを生成し、前記新規のエントリは前記第１のボリュームを前記第２の媒体にリンクさせる、ステップ
を更に含む、請求項９に記載の方法。
【請求項１２】
前記第１のボリュームを削除するための前記要求の受信に応答して、前記方法は、第１の期間だけ前記第１の媒体の削除を遅延させるステップを更に含む、請求項８に記載の方法。
【請求項１３】
前記第１の期間が経過した後、前記方法は、前記第１の媒体を、再利用の準備ができた状態としてマークするステップを含む、請求項１２に記載の方法。
【請求項１４】
前記第１の期間が経過した後、前記方法は、前記第２の媒体が前記第１の媒体の下層にある場合、かつ他のいずれの媒体も前記第２の媒体にリンクされていない場合に、前記第２の媒体を、再利用の準備ができた状態としてマークするステップを更に含む、請求項１３に記載の方法。
【請求項１５】
プログラム命令を記憶する非一時的コンピュータ可読ストレージ媒体であって、
前記プログラム命令はプロセッサによって：
第１の媒体にマッピングされた第１のボリュームを削除するための要求を受信するステップを実行でき、前記第１の媒体はデータの論理グループ化であり；
前記第１のボリュームを削除するための前記要求の受信に応答するステップ：
第１の媒体が前記第１のボリュームのアンカー媒体であることの決定するステップ、    前記第１のボリュームが過去に前記第１の媒体にリンクされていたことのインジケータを記憶するステップ；および、
前記第１のボリュームが有効であることのいずれのインジケータを除去するステップ；
を実行できる、コンピュータ可読ストレージ媒体。
【請求項１６】
ボリューム−媒体間マッピングテーブルを保守することによって、前記ボリュームと前記アンカー媒体との間の関係を媒体間で追跡するために、前記プログラム命令をプロセッサによって更に実行でき、
前記第１のボリュームが有効であることのいずれの前記インジケータを除去することは、前記第１のボリュームに対応する第１のエントリを、前記ボリューム−媒体間マッピングテーブルから削除することを含む、請求項１５に記載のコンピュータ可読ストレージ媒体。
【請求項１７】
前記第１のボリュームを削除するための前記要求を受信した後：
前記第１のボリュームを復元するための要求を受信し；
前記第１のボリュームを復元するための前記要求に応答して：
前記第１のボリュームが過去に前記第１の媒体にリンクされていたことの前記インジケータを取得し；
前記ボリューム−媒体間マッピングテーブル内に新規のエントリを生成し、前記新規のエントリは前記第１のボリュームを前記第１の媒体にリンクさせる
ために、前記プログラム命令をプロセッサによって更に実行できる、請求項１６に記載のコンピュータ可読ストレージ媒体。
【請求項１８】
前記第１のボリュームを削除するための前記要求を受信した後：
前記第１のボリュームを復元するための要求を受信し；
前記第１のボリュームを復元するための前記要求に応答して：
前記第１のボリュームが過去に前記第１の媒体にリンクされていたことの前記インジケータを取得し；
第２の媒体を生成し；
前記第１の媒体が前記第２の媒体の下層にあることのインジケータを記憶し；
前記ボリューム−媒体間マッピングテーブル内に新規のエントリを生成し、前記新規のエントリは前記第１のボリュームを前記第２の媒体にリンクさせる
ために、前記プログラム命令をプロセッサによって更に実行できる、請求項１６に記載のコンピュータ可読ストレージ媒体。
【請求項１９】
前記第１のボリュームを削除するための前記要求の受信に応答して、第１の期間だけ前記第１の媒体の削除を遅延させるために、前記プログラム命令をプロセッサによって更に実行できる、請求項１５に記載のコンピュータ可読ストレージ媒体。
【請求項２０】
前記第１の期間が経過した後、前記第１の媒体を、再利用の準備ができた状態としてマークするために、前記プログラム命令をプロセッサによって実行できる、請求項１９に記載のコンピュータ可読ストレージ媒体。